(57)【要約】【課題】濡れた釣竿の乾燥には、自然乾燥が用いられており、乾燥に長時間を要していた。掃除機、扇風機等を使用する乾燥方法もあるが、使用に先立って、釣竿の内面及び表面に適度の風を流すための準備および風による釣竿の移動防止等に手間を要し、釣竿を傷つけないようにするために、乾燥時には広い占有スペースを確保するとか、乾燥後には早く片付けるとか等、釣竿の取り扱いに注意を払う必要があった。本考案の目的は、釣竿の乾燥を、短時間に、手間を掛けることなく行え、釣竿の取り扱いが簡単である乾燥機を提供することである。【解決手段】上記目的を解決するために本考案の釣竿乾燥機は、柱状の本体内部に、釣竿の下端部を支える釣竿受け材と、釣竿を収納する時の釣竿への衝撃を防止するクッション材と、釣竿に空気を流すためのファンと、ファンを回転させるモーターとを備えている。【選択図】  図１
0003131853.tif 000002
【実用新案登録請求の範囲】
【請求項１】
柱状の本体の内部に、釣竿の下端部を支える釣竿受け材と、釣竿を収納する時の釣竿への衝撃を防止するクッション材と、外部から本体内部に空気を取り込むファンと、ファンを回転させるモーターとを備えることを特徴とする釣竿乾燥機。
【請求項２】
柱状の伸縮式の本体の内部に、釣竿の下端部を支える釣竿受け材と、釣竿を収納する時の釣竿への衝撃を防止するクッション材と、外部から本体内部に空気を取り込むファンと、ファンを回転させるモーターとを備えることを特徴とする釣竿乾燥機。
【請求項３】
柱状の本体の一側面を開閉式とした本体の内部に、釣竿の下端部を支える釣竿受け材と、釣竿を収納する時の釣竿への衝撃を防止するクッション材と、外部から本体内部に空気を取り込むファンと、ファンを回転させるモーターとを備えることを特徴とする釣竿乾燥機。
【請求項４】
請求項１、２、３の外部から本体内部に空気を取り込むファンに替えて、本体内部から外部に空気を排出するファンとした釣竿乾燥機。
【考案の詳細な説明】
【技術分野】
【０００１】
本考案は、釣竿を乾燥させる乾燥機に関するものである。  
【背景技術】
【０００２】
従来、濡れた釣竿は、分解できる構造の釣竿は分解し、分解できない構造の釣竿はそのままで、水気を布、紙により出来るだけ拭き取った後、机の上に置く等して、釣竿の内面及び表面を自然乾燥させていた。
【０００３】
自然乾燥のための釣竿乾燥台も販売されている。
【０００４】
また、掃除機、扇風機等の吸気あるいは送風を用いる乾燥方法も使われている。
【考案の開示】
【考案が解決しようとする課題】
【０００５】
濡れた釣竿の乾燥には、自然乾燥が用いられており、乾燥に長時間を要していた。
【０００６】
掃除機、扇風機等を使用する乾燥方法は、使用に先立って、釣竿の内面及び表面に適度の風を流すための工夫が必要であり、風量調整とか、風による釣竿の移動防止等に手間を要するという課題があった。
【０００７】
また、掃除機、扇風機等を使用する乾燥方法においては、釣竿を傷つけないようにするために、広い占有スペースを確保するとか、机の上から落さないようにするとか、乾燥後は早く片付けるとか等、釣竿の取り扱いに注意を払う必要があるという課題があった。
【０００８】
本考案の目的は、釣竿の乾燥を、短時間に、手間を掛けることなく行え、釣竿の取り扱いが簡単である乾燥機を提供することである。
【課題を解決するための手段】
【０００９】
上記目的を解決するために請求項１記載の考案は、柱状の本体の内部に、釣竿の下端部を支える釣竿受け材と、釣竿を収納する時の釣竿への衝撃を防止するクッション材と、外部から本体内部に空気を取り込むファンと、ファンを回転させるモーターとを備えている。
【００１０】
上記目的を解決するために請求項２記載の考案は、柱状の伸縮式の本体の内部に、釣竿の下端部を支える釣竿受け材と、釣竿を収納する時の釣竿への衝撃を防止するクッション材と、外部から本体内部に空気を取り込むファンと、ファンを回転させるモーターとを備えている。
【００１１】
上記目的を解決するために請求項３記載の考案は、柱状の本体の一側面を開閉式とした本体の内部に、釣竿の下端部を支える釣竿受け材と、釣竿を収納する時の釣竿への衝撃を防止するクッション材と、外部から本体内部に空気を取り込むファンと、ファンを回転させるモーターとを備えている。
【００１２】
上記目的を解決するために請求項４記載の考案は、請求項１、２、３の外部から本体内部に空気を取り込むファンに替えて、本体内部から外部に空気を排出するファンを備えている。
【考案の効果】
【００１３】
（１）請求項１記載の考案は、ファンから取り込んだ空気を釣竿の内面及び表面に流すことにより水分を除去するので、自然乾燥より短時間に釣竿を乾燥させることができる。
【００１４】
（２）請求項１記載の考案による乾燥方法は、釣竿を釣竿乾燥機に収納してモーターを回転させるだけなので、使用に先立っての手間が不要となる。
【００１５】
（３）請求項１記載の考案による乾燥方法は、乾燥時はもちろん、乾燥終了後も釣竿乾燥機に釣竿を収納しておくことができるので、釣竿の取り扱いが簡単となる効果がある。
【００１６】
（４）請求項２記載の考案は、本体を柱状の伸縮式としているので、前期（１）〜（３）の効果に加え、短い釣竿から長い釣竿まで、釣竿乾燥機への収納、乾燥、取り出しが容易に行える効果がある。
【００１７】
（５）請求項３記載の考案は、柱状の本体の一側面を開閉式としているので、前期（１）〜（３）の効果に加え、短い釣竿から長い釣竿まで、釣竿乾燥機への収納、乾燥、取り出しが容易に行える効果がある。
【００１８】
（６）請求項４記載の考案は、請求項１、２、３の外部から本体内部に空気を取り込むファンに替えて、本体内部から外部に空気を排出するファンを備えているので、前期（１）〜（３）と同様の効果がある。
【考案を実施するための最良の形態】
【００１９】
［実施の形態１］
本考案の実施の一形態について、図面に基づいて説明する。図１は、本実施形態に係わる釣竿乾燥機の使用状態を側方から見た時の概略の構成を示す断面図である。この釣竿乾燥機は、本体１を有している。
【００２０】
本体１は、柱状としている。本体１は、釣竿６を収納できるよう上端部を開口とし、外部から本体１の内部に空気を取り込めるよう下部に吸気用の開口を設けている。
【００２１】
本体１の下部には、吸気用の開口から本体１の内部に空気を取り込むことが可能なファン２と、ファン２を回転させるモーター３を設けている。モーター３は、モーター３の回転、停止を制御できる電気回路に接続している。
【００２２】
ファン２の上部には、釣竿受け材４を設置している。釣竿受け材４は、釣竿６の下端部を支えるものであり、空気が通過できるよう網状としている。
【００２３】
釣竿受け材４の上には、クッション材５を設置している。クッション材５は、釣竿６を収納する時の釣竿６への衝撃を防止する機能、通気抵抗により空気の流れを均一にする機能及び釣竿６の水分が下部に落ちないようにする機能を持つように、スポンジ材としている。
【００２４】
釣竿６を乾燥させる場合には、分解できる釣竿６は分解して、分解できない構造の釣竿６はそのままで、水気を布、紙により出来るだけ拭き取った後、本体１の上部開口部から本体１の内部に収納し、モーター３を回転させファン２を回転させる。
【００２５】
ファン２の回転により、吸気用の開口から本体１の内部に取り込んだ空気は、釣竿受け材４、クッション材５を経て、一部は釣竿６の内面を流れ、その他は本体１の内側に沿って釣竿６の表面を流れる。
【００２６】
図２は、本実施形態の釣竿乾燥機の使用状態を斜め前から見た時の外観図である。本実施形態においては、本体１を四角柱としたが、円柱状、多角柱状等にすることも可能である。
【００２７】
釣竿６の内面及び表面は、ファン２により取り込まれた空気が流れることにより水分が除去されるので、自然乾燥より短時間に釣竿６を乾燥させることができる。
【００２８】
この釣竿乾燥機による乾燥方法は、釣竿６を釣竿乾燥機に収納してモーター３を回転させるだけなので、使用に先立っての手間が不要である。
【００２９】
また、この釣竿乾燥機による乾燥方法は、乾燥時はもちろん、乾燥終了後も、釣竿乾燥機に釣竿６を収納しておくことができるので、釣竿６の取り扱いが簡単となる。
【００３０】
[実施の形態２]
本考案の他の実施の形態について、図面に基づいて説明する。なお、実施の形態1と同一の構成には同一の符号を付し、重複する説明を省略する。
【００３１】
図３に示す本実施形態において、前記の実施の形態１と異なる点は、本体１を伸縮式とした点であり、前記の実施の形態１と同様の効果が得られるとともに、短い釣竿でも長い釣竿でも収納、乾燥、取り出しが容易に行える効果がある。
[実施の形態３]
本考案の他の実施の形態について、図面に基づいて説明する。なお、実施の形態1と同一の構成には同一の符号を付し、重複する説明を省略する。
【００３２】
図４に示す本実施形態において、前記の実施の形態１と異なる点は、本体１の一側面を開閉式とした点であり、前記の実施の形態１と同様の効果が得られるとともに、短い釣竿でも長い釣竿でも収納、乾燥、取り出しが容易に行える効果がある。
【００３３】
[実施の形態４]
本考案の他の実施の形態について、図面に基づいて説明する。なお、実施の形態1と同一の構成には同一の符号を付し、重複する説明を省略する
【００３４】
図５に示す本実施形態において、前記の実施の形態１と異なる点は、本体内部に空気を取り込むファンに替えて、本体内部から外部に空気を排出するファンを備えた点であり、前記の実施の形態１と同様の効果が得られる。
【図面の簡単な説明】
【００３５】
【図１】本考案の実施の形態１の使用状態の概略の構成を示す断面図である。
【図２】本考案の実施の形態１の使用状態を斜め前から見た外観図である。
【図３】本考案の実施の形態２の使用状態の概略の構成を示す断面図である。
【図４】本考案の実施の形態３の使用状態を斜め前から見た外観図である。
【図５】本考案の実施の形態４の使用状態を斜め前から見た外観図である。
【符号の説明】
【００３６】
１  本体
２  ファン
３  モーター
４  竿受け材
５  クッション材 
６  釣竿
【図１】
0003131853.tif 000003
【図２】
0003131853.tif 000004
【図３】
0003131853.tif 000005
【図４】
0003131853.tif 000006
【図５】
0003131853.tif 000007